(57)【要約】【目的】 携帯電話本体の表面側に対して装飾および保護目的で利用者の嗜好・要望に応じてカスタマイズするために任意に着脱される部材に関して、既存のものに比べて新たな観点からの装飾性・保護性を向上した新規な部材を提案するものである。【構成】 携帯電話３の本体表面側に交換可能なものとして装飾・保護目的で所定の取付手段６によって取付けられる部材１であって、本体表面側のモニターディスプレイ５やカメラレンズ４の機能を阻害しない周辺端部を所定幅の枠状に取囲む形状とされていることを特徴とする枠形状の携帯電話用装飾・保護部材１である。【選択図】   図１
0003112695.tif 000002
【実用新案登録請求の範囲】
【請求項１】
携帯電話の本体表面側に交換可能なものとして装飾・保護目的で所定の取付手段によって取付けられる部材であって、本体表面側のモニターディスプレイやカメラレンズの機能を阻害しない周辺端部を所定幅の枠状に取囲む形状とされていることを特徴とする枠形状の携帯電話用装飾・保護部材。
【請求項２】
携帯電話の本体表面側を装飾・保護する交換可能な板状部材に重ねて更に着脱されるようにしたことを特徴とする請求項１に記載の枠形状の携帯電話用装飾・保護部材。
【請求項３】
所定幅の枠状部材を利用して任意の箇所にキャラクター形状などを利用した他のアクセサリー部材を取付けられるようにされていることを特徴とする請求項１または請求項２に記載の枠形状の携帯電話用装飾・保護部材。
【請求項４】
所定幅の枠状部材の表面に対して文字や図柄、キャラクターなどを利用した装飾模様を表示させていることを特徴とする請求項１〜請求項３の何れか1つに記載の枠形状の携帯電話用装飾・保護部材。
【考案の詳細な説明】
【技術分野】
【０００１】
本考案は、携帯電話本体の表面側に対して装飾および保護目的で利用者の嗜好・要望に応じてカスタマイズするために任意に着脱される部材に関して、既存のものに比べて新たな観点からの装飾性・保護性を向上した新規な部材を提案するものである。
【背景技術】
【０００２】
携帯電話は現在広く普及しており、個人の嗜好に応じた使用が当然になされるようになってきていることから、単にその機能によって選ばれる物品というよりも、個人的な美観や趣味性を反映した選択がなされる物品となってきている。
【０００３】
携帯電話本体の外観についても、そのデザイン性が重視され、美観や趣味性に訴えるものとして多様な提案がなされるようになってきている。
【０００４】
特に携帯電話本体の正面部分は常に人の目に触れる部分としてそのデザイン処理が重要視されており、したがって、多様な好みを反映した製品展開を要求されるものとして、そのデザイン処理に特徴を有する多種類の機種が実際に販売されている。
【０００５】
このような携帯電話本体の正面部分は利用者の関心を惹く重要な部分であることから、所定の型式を満たす該部分についてのみ好みや必要に応じて選択して着脱し、望ましいカスタマイズを行うようなことが既に行われて来ている。
また、携帯電話本体の正面部分を装飾しようというアイディアに関しては以下のような提案もなされている。
【特許文献１】登録実用新案第３０６９３１４号公報
【考案の開示】
【考案が解決しようとする課題】
【０００６】
しかしながら、上記したような先行技術においては多様なデザイン処理を施したカスタム用の携帯電話本体正面部用板材が提案されてはいるが、その基本形状は略一定のものであり変化に乏しいものとなっている。
特許文献１のものは、携帯電話の正面部分に装飾シールを貼り付けようというだけのものであり、より多様化した需要者の要求を満足させるには足りないものである。特許文献２においても、別のアクセサリー部材を取付けるアイディアは示されているが部材の基本形状は既存のものと殆んど差異のないものである。
【課題を解決するための手段】
【０００７】
本考案は、上記したような既存の技術によっては解消できない課題を適切に解消するために創案されたものであって、携帯電話の本体正面側を任意い着脱できる専用部材によって装飾・保護する場合において、正面側を全面的にカバーする板状部材ではなく周囲端部のみを所定幅を持った枠状に囲む専用部材を提案するものであって、より具体的には以下のとおりである。
【０００８】
（１）  携帯電話の本体表面側に交換可能なものとして装飾・保護目的で所定の取付手段によって取付けられる部材であって、本体表面側のモニターディスプレイやカメラレンズの機能を阻害しない周辺端部を所定幅の枠状に取囲む形状とされていることを特徴とする枠形状の携帯電話用装飾・保護部材。
【０００９】
（２）  携帯電話の本体表面側を装飾・保護する交換可能な板状部材に重ねて更に着脱されるようにしたことを特徴とする請求項１に記載の枠形状の携帯電話用装飾・保護部材。
【００１０】
（３）  所定幅の枠状部材を利用して任意の箇所にキャラクター形状などを利用した他のアクセサリー部材を取付けられるようにされていることを特徴とする請求項１または請求項２に記載の枠形状の携帯電話用装飾・保護部材。
【００１１】
（４）  所定幅の枠状部材の表面に対して文字や図柄、キャラクターなどを利用した装飾模様を表示させていることを特徴とする請求項１〜請求項３の何れか1つに記載の枠形状の携帯電話用装飾・保護部材。
【実施例】
【００１２】
上記したような本考案の具体的な実施例の若干を、添付図面を利用しながら以下説明する。
図１は、本考案の枠形状の携帯電話用装飾・保護部材１を実際に携帯電話２に取付ける際の手順を分解図的に説明する図面である。
【００１３】
本考案の枠形状装飾・保護部材１はを取付けるべき携帯電話２は、設計当初段階からこのような部材１を本体正面部分に着脱することを想定した特別な形式のものである必要がある。しかし、特許文献２においても述べられているように携帯電話２の本体正面部分を装飾・保護する目的で任意に専用の板材３を着脱できるタイプの製品が市販化されており、これに採用されている着脱手段を応用できるものとして設計することで本考案の枠形状装飾・保護部材１も同タイプの携帯電話２に対して任意に取付け可能なものとなる。
【００１４】
現在市販されている携帯電話２はその本体正面部分にデジタルカメラ用レンズ４やモニター５を備えているものが殆んどであり、この部分に後付けする部材はこれらの機能を損なわないように配慮する必要がある。しかし、本考案の場合には元々正面部分の周辺端部を囲む枠材形状を持ったものとして設計されており、レンズ４やモニター５の機能を損なうことはまったくあり得ない。
【００１５】
上記のような枠形状部材１の取付手段６は既存の様々なものを採用して構わないが、図示のように携帯電話本体正面部の所定箇所に設けられたネジ止め部６ａに対してネジ７を用いるのが一般的である。このようなネジ止め部６ａの位置は携帯電話２の機種毎に若干異なるものとなるが、そのような機種毎に相応しい枠形状部材１を準備することが必要となる。
【００１６】
本考案では、装飾・保護板材３を着脱できる形式の携帯電話２に対して図１のように更に別の枠形状部材１を取付可能とすることで、別種の装飾性アップを実現すると共に携帯電話２を落下したり他の何かとぶつけてしまった場合に傷や破損を生じやすい周辺端部を適切に保護することのできる枠状部材１を提案しているものである。
【００１７】
もちろんこの枠材１自体が適切なカラーリングやデザインを施されていることでこれを取付けた携帯電話２の装飾性向上を実現できるが、さらのこの枠材１の表面に別種の文字や図柄、各種キャラクター形状などを利用した模様を施すことで、より一層ユーザーの趣味性や嗜好性を反映したカスタマイズ用の部材として本考案品を提案することが可能となるものである。
【００１８】
このような枠材１を所定の取付箇所に固定するには、図示のようにネジ７とネジ止め部６ａを利用する所定の取付手段６を採用するが、これは既存の装飾・保護板材３を固定するためのものをそのまま利用する。つまり、板材３に重ねて本考案の枠材１を固定することが望ましいのである。
【００１９】
この図１のように既存の板材３と本考案の枠材１とを重ねた状態で固定する場合には、両者の装飾デザイン性を組合わせたものとしてより多様なカスタマイズ性を実現することが可能となるものである。
【００２０】
また、本考案の枠材１にはその所定幅とされた枠部分１ａを利用して更に付加的なアクセサリー部材８を任意に取付けるものとする構成も採用できる。この場合、所定幅の枠部分１ａ自体をアクセサリー部材８の保持部として利用する構成としておけば、同一幅である枠部材１の任意の箇所に好みのアクセサリー部材８を着脱することができるようになる。
【００２１】
図２は、本考案による枠材１の別の取付手法を示したものである。
すなわち、本考案の枠材１は必ずしも既存の板材３に重ねて取付けなければならないというものではなく、それのみを携帯電話２の本体正面所定箇所に直接的に取付けるものとしても構わないものである。
【００２２】
この場合の取付手段６も図１の場合と変わりはなく、板材３と重ね合わせる必要はないことからネジ８の長さをその分短いものとするだけで足りるのである。
図示のものは枠材１に付加的なアクセサリー部材８をも取付ける状態を示しているが、もちろんこのアクセサリー部材８は付加しなくても構わないものである。
【００２３】
以上説明したような本考案によれば、携帯電話の本体正面部分を需要者の好み等に応じてより機能を高めたりカスタム性を向上することのできる新規な構成を提案することができ、多くの新規需要を喚起する可能性を有することが明らかであり、工業的にその価値が高い考案であると理解されるべきである。
【図面の簡単な説明】
【００２４】
【図１】本考案の枠形状の携帯電話用装飾・保護部材１を実際に携帯電話２に取付ける際の手順を分解図的に説明する図面である。
【図２】既存の装飾・保護板材と重ね合わせずに本考案の装飾・保護枠材を直接的に携帯電話正面部に取付ける場合を示した説明図面である。
【符号の説明】
【００２５】
１    本考案の装飾・保護枠材
２    携帯電話
３    既存の装飾・保護板材
４    デジタルカメラ用レンズ
５    モニター
６    取付手段
６ａ    ネジ止め部
７    ネジ
８    付加的なアクセサリー部材                                                       
【図１】
0003112695.tif 000003
【図２】
0003112695.tif 000004